(57)【要約】      （修正有）【課題】携帯端末を大雑把にＩＣタグ（例えばＲＦＩＤタグ）の表面に「宛がった場合」においても、一回で固有の識別情報を読取れる人の情報管理装置を提供する。【解決手段】人が出入りする場所１に配設され、同一の属性情報ａを有する複数個のＩＣタグを左右・上下に所定間隔を有して内蔵する所定形状のＩＣタグシート２と、このＩＣタグシートの表面の領域内でＩＣタグのいずれか１つから固有の識別情報を読み出すと共に、記憶部３ｂに格納されている識別情報ｂを紐付して外部に送信する中継送受信手段３ａを有する中継制御端末３と、通信部１１を介して受信した紐付情報ｃと関係付けられて記憶されている属性情報記憶部１３から設定情報を読出し、判定部１５の判定ＯＫの判定処理に基づいて管理情報記憶部１７に紐付情報を登録する制御部１２を有する情報管理装置４とから成る。複数のＩＣタグが配列されているので読取り範囲が広い。【選択図】図１
0003186003.tif 000002
【実用新案登録請求の範囲】
【請求項１】
人が出入りする場所に配設され、かつ同一の属性情報を有する複数個のＩＣタグを左右・上下に所定間隔を有して内蔵する所定形状のＩＣタグシートと、このＩＣタグシートの表面の領域内で前記ＩＣタグのいずれか１つから該ＩＣタグに記憶されている固有の識別情報を無線信号により読み出すと共に、記憶部に格納されている識別情報を紐付して外部に送信する中継送受信手段を有する中継制御端末と、通信部を介して受信した前記紐付情報と関係付けられて記憶されている属性情報記憶部から設定情報を読出し、判定部の判定ＯＫの判定処理に基づいて管理情報記憶部に前記紐付情報を登録する制御部を有する情報管理装置とから成る人の情報管理装置。
【請求項２】
請求項１に於いて、少なくとも９個のＩＣタグは、左右・上下に対称的に配設されていることを特徴とする人の情報管理装置。
【請求項３】
請求項１に於いて、少なくとも９個のＩＣタグは、中心部に配設されたＩＣタグと、該中心部のＩＣタグの同心円上に配設された同心円上のＩＣタグとから構成されていることを特徴とする人の情報管理装置。
【請求項４】
請求項１に於いて、ＩＣタグシートは、大きさが「はがき」乃至「Ｂ５用紙」の範囲のシート状のものであり、多数の人が出入りするドア、又はドア付近、或いは受付机のいずれかの、少なくとも一箇所に配設されていることを特徴とする人の情報管理装置。
【考案の詳細な説明】
【技術分野】
【０００１】
本考案は、会社、学校、病院等に於いて、従業員、学生、患者等の勤務、出席、受付等の状況を管理する人の情報管理装置に関するものである。
【背景技術】
【０００２】
特許文献１には、「派遣社員又は派遣スタッフなどから成る就業者を派遣した派遣事業者が、派遣先での上記就業者の勤怠状況や作業工数などの管理を適正に行うための派遣業務用管理システムであって、上記就業者の派遣を受入れる派遣先が、少なくともカードＩＤと派遣先識別コードを備えたＲＦＩＤタグ（Ｒａｄｉｏ  Ｆｒｅｑｕｅｎｃｙ  ＩＤｅｎｔｉｆｉｃａｔｉｏｎ）のＩＤ識別媒体を所持し、上記派遣社員又は派遣スタッフなどから成る就業者の各々は、少なくともネットワーク接続可能な無線通信機能と、ＩＤ識別媒体読取り機能と、上記就業者自身のＩＤが設定登録済みの記憶装置、及び、打刻処理アプリケーションソフトが実装された携帯電話機等の携帯端末を所持して、上記ＩＤ識別媒体の読取りによって上記の携帯端末を用いて上記就業者による就業開始或いは作業開始の打刻処理と、就業終了或いは作業終了の打刻処理を行って、これ等の打刻情報を上記ネットワーク接続可能な無線通信機能を介して予め設定されたサーバーや通信端末に送信するように構成すること」が開示されている。
【０００３】
特許文献２は、上記構成の特許文献１が、ＲＦＩＤタグを紛失した場合に、再発行や更新登録の不便さに鑑み、ＲＦＩＤタグに固有の識別情報以外のデータを保有させずに、情報を管理することを可能とする情報管理システムを提供することを課題とし、「更新不可のＲＦＩＤタグと、該ＲＦＩＤタグの固有の識別情報を通信処理する通信情報端末と、該通信情報端末から受け取った前記固有の識別情報と前記通信情報端末の固有ＩＤを関連付けてその管理情報部に記憶する情報管理装置とから成る情報管理システム」が記載されている。
【０００４】
上記構成の特許文献２は、ＲＦＩＤタグの再発行や更新登録の不便さに鑑み、ＲＦＩＤタグに固有の識別情報以外のデータを保有させずに、情報を管理することを可能とする点で斬新な発想であるものの、ＲＦＩＤタグは単体なので、紛失した場合や故障した場合には、依然として特許文献１と同様の欠点（再発行等の必要性）がある。また、ＲＦＩＤタグの属性情報を携帯電話機、スマートホォン等の携帯端末で読取る場合には、読取る領域（範囲）が非常に狭いので、大雑把に携帯端末をＲＦＩＤタグの表面に「宛がった場合」には、一度の「宛がい行為」によって読取ることができないという問題点があった。特に、人が出入りする場所にＲＦＩＤタグを配設されている環境下に於いて、片手に荷物を持っている、子供の手を引いている、高齢である等の特別な事情が存在する場合には、携帯端末を大雑把にＲＦＩＤタグの表面に「宛がった場合」においても、一回で固有の識別情報を読取れるようにすることが実用的である。
【先行技術文献】
【特許文献】
【０００５】
【特許文献１】特開２００８−３１０４７４号公報
【特許文献２】特開２０１２−２１５９５４号公報
【考案の概要】
【考案が解決しようとする課題】
【０００６】
本考案の第１の課題は、特許文献２の問題点に鑑み、携帯端末を大雑把にＩＣタグ（例えばＲＦＩＤタグ）の表面に「宛がった場合」においても、一回で固有の識別情報を読取れるようにすることである。また本考案の第２の課題は、一つのＩＣタグの機能が不十分な場合であっても、同一の属性情報を有する他の複数のＩＣタグがそれを補って本考案の第１の課題を十分に達成することができることである。さらに、本考案の第３の課題は、多数の人が出入りするドア、又はドア付近、或いは受付机のいずれかの、少なくとも一箇所に簡単に配設することができることである。
【課題を解決するための手段】
【０００７】
本考案の人の情報管理装置は、人が出入りする場所に配設され、かつ同一の属性情報を有する複数個のＩＣタグを左右・上下に所定間隔を有して内蔵する所定形状のＩＣタグシートと、このＩＣタグシートの表面の領域内で前記ＩＣタグのいずれか１つから該ＩＣタグに記憶されている固有の識別情報を無線信号により読み出すと共に、記憶部に格納されている識別情報を紐付して外部に送信する中継送受信手段を有する中継制御端末と、通信部を介して受信した前記紐付情報と関係付けられて記憶されている属性情報記憶部から設定情報を読出し、判定部の判定ＯＫの判定処理に基づいて管理情報記憶部に前記紐付情報を格納する制御部を有する情報管理装置とから成ることを特徴とする。
【０００８】
上記構成に於いて、少なくとも９個のＩＣタグは、左右・上下に対称的に配設されていることを特徴とする。また少なくとも９個のＩＣタグは、中心部に配設されたＩＣタグと、該中心部のＩＣタグの同心円上に配設された同心円上のＩＣタグとから構成されていることを特徴とする。さらに、ＩＣタグシートは、多数の人が出入りするドア、又はドア付近、或いは受付机のいずれかの、少なくとも一箇所に配設されていることを特徴とする。
【考案の効果】
【０００９】
（ａ）請求項１に記載の考案は、人が出入りする場所に配設され、かつ所定形状の中に同一の属性情報を有する複数個のＩＣタグを左右・上下に所定間隔を有して内蔵するＩＣタグシートを構成要素としているので、携帯端末を大雑把にＩＣタグ（例えばＲＦＩＤタグ）の表面に「宛がった場合」においても、一回で固有の識別情報を読取れる。また、一つのＩＣタグの機能が不十分な場合であっても、同一の属性情報を有する他の複数のＩＣタグがそれを補って一回の宛がい行為により前記の固有の識別情報を読取ることができる。
（ｂ）請求項２又は請求項３に記載の考案は、少なくとも９個のＩＣタグが「左右・上下に対称的に」又は「同心円上に」それぞれ幅広く配設されているので、上記（ａ）の効果を得ることができる。
（ｃ）請求項４に記載の考案は、望ましくは、大きさが「はがき」乃至「Ａ５用紙」の範囲のシート状のものを選択することができるので、会社、工場等の勤務場所、子供、大人、熟年者等色々な年齢層の人が患者となる病院、その他多数の学生が出入りする教室等のドアの壁、又はドア付近の壁やスタンド、或いは受付机の机等のいずれかの、少なくとも一箇所に簡単に配設することができる。
【図面の簡単な説明】
【００１０】
図１乃至７は本考案の第１実施形態を示す各説明図。図８乃至図１１は要部（ＩＣタグシート）の他の実施形態を示す各説明図。
【図１】本考案の第１実施形態を示す全体のブロック図。
【図２】要部（ＩＣタグシート）の斜視図。
【図３】要部（ＩＣタグシート）の一部切欠の正面図。
【図４】図３の４−４線断面図。
【図５】情報管理装置の機能を示すブロック図。
【図６】中継制御端末の表示画面での操作例を示す概略説明図。
【図７】中継制御端末と情報管理装置の間のシーケンス図。
【図８】第２実施形態の要部（ＩＣタグシート）の斜視図。
【図９】第２実施形態の要部（ＩＣタグシート）の一部切欠の正面図。
【図１０】第３実施形態の要部（ＩＣタグシート）の斜視図。
【図１１】第３実施形態の要部（ＩＣタグシート）の一部切欠の正面図。
【考案を実施するための最良の形態】
【００１１】
以下、図面を参照にして、本考案の実施形態の一例を説明する。図１は本考案の第１実施形態を示す全体のブロック図で、人の情報管理装置Ｘは、人が出入りする場所１に配設されたＩＣタグシート２と、このＩＣタグシート２から電波により固有の属性情報ａを受取る中継制御端末３と、その中継送受信手段３ａを介して自端末の固有ＩＤ、個人情報（例えば従業員の識別情報）、打刻情報等の自端末側の識別情報ｂを前記属性情報ａに紐付して送信する中継制御端末３と、この中継制御端末３から有線方式又は無線方式のいずれかによって前記紐付情報ｃを受取り、制御部が判定処理した後、紐付情報ｃを管理する情報管理装置４とから成り、前記ＩＣタグシート２の大きさ及びＩＣタグの配列に特徴がある。
【００１２】
ＩＣタグシート２の特徴は、図２及び図３に示すように、角形（実施形態）又は円形の合成樹脂製シートの中に、同一の属性情報を有する複数個のＩＣタグが、「左右・上下に対称的に（第１実施形態）」又は「同心円上に（他の実施形態）」それぞれ幅広くバランス良く配設されている（特徴事項）。
【００１３】
そこで、まず、人が出入りする場所１から説明する。ここで、「場所１」とは、会社、工場等の勤務場所、子供、大人、熟年者等色々な年齢層の人が患者となる病院、その他多数の学生が出入りする学校等の出入り口のドアの壁、又はドア付近の壁やスタンド、或いは机等のいずれかの、少なくとも一箇所を言う。したがって、ＩＣタグシート２は、例えば教育の現場では教室のドアの内外の壁面、前記ドア付近の壁、前記ドア付近に設置されたスタンドや掲示板、机等のいずれか一つ又は複数に固定手段（例えば接着剤、固着具など）を介して簡単に配設することができる。
【００１４】
次に、ＩＣタグシート２の構成について説明する。図２及び図３で示すように、ＩＣタグシート２は、所定形状の上方シート６と、この上方シート６に対応する大きさの下方シート７と、この下方シート７と前記上方シート６の間に内装された複数個のＩＣタグ８とから成り、前記複数個のＩＣタグ８は、全て同一の属性情報を有している。すなわち、実施形態では「用紙Ａ５サイズ」で、「合計９個」の薄い円盤状のＩＣタグ８が左右・上下に所定間隔を有してバランス良く配されているものの、これらのＩＣタグ８は、互いに同一のタグ識別情報が設定されている。なお、実施形態では、前記下方シート７の内面にＩＣタグ８の外径・形状・厚さを考慮して収納凹所９を形成し、これらの収納凹所９にＩＣタグ８を嵌め込んだ状態で上方シート６を一体的に被せている。
【００１５】
したがって、合計９個のＩＣタグ８は上方シート６と下方シート７との間にサンドイッチ状に内蔵されている。もちろん、上方シート６と下方シート７はモールド成形されたものであっても良いし、一体的に嵌合させたものであっても良い。
【００１６】
ここでＩＣタグシート２の機能について説明する。実施形態のＩＣタグシート２は、中継制御装置３から電磁波エネルギーを有する電波を得ることにより電磁誘導の起電力により起動する受信手段と、該受信手段から起動信号を取得すると、起動信号が設定電圧か否かを判定すると共に判定部と、属性情報ａを格納する記憶部を有するマイコン（ＩＣ）と、該マイコンが必要とする電力を給電するコンデンサと、送信手段を備えている。
【００１７】
そして、ＩＣタグシート２は、商業用交流電源を利用することができるように先端部にコンセトを有する電気コードを備えていても良いが、実施形態では、前記コンデンサは前記受信手段が電磁誘導の起電力により発生した電力を蓄える機能を有する。そして、望ましくは、前記マイコン（ＩＣ）は前記受信手段から起動信号（トリガー信号）を受取ると、モード切換え手段により休止モードから起動モードに切り換って判定処理を実行し、判定処理の結果が「肯定」ならば属性情報ａを送信手段から送信するように制御する。
【００１８】
図１では、ＩＣタグシート２が中継制御端末３から無線方式で「リクエスト信号」を受取り、中継制御端末３のマイコン（ＩＣ）が上述した制御処理をした後に「属性情報ａ」を中継制御端末３に送信（応答）した旨を概略的に示しているが、実施レベルでは、いわゆる携帯電話、お財布携帯、スマートフォン、ダブレット等の中継制御端末３をＩＣタグシート２の中央部、中央部寄りの部位、左右・端部付近のいずれかに「宛がった場合」に於いて、「一度の宛がい行為」によって、中継制御端末３がＩＣタグシート２の属性情報ａを読取ることができることを示している。なお、マイコン（ＩＣ）は属性情報ａを送信手段から送信するように制御した後は、モード切換え手段により起動モードから休止モードに切替わる。
【００１９】
次に、中継制御装置３（ここでは「自端末３」とも言う。）の機能について説明する。図１は「自端末３」の機能を概略的に示したもので、３ａは中継送受信手段、３ｂは自端末３の記憶部である。中継送受信手段３ａは、前述したようにＩＣタグシート２から属性情報ａを読取る機能、図示しない入力部（例えばタッチパネルからの入力信号）からのログインＩＤ及びパスワード（ライセンスキー）を制御する機能、当該ログインＩＤ及びパスワードが正当ならば、既にダウクロード済みのフログラムに基づいて、例えば勤務状態（実施形態）、出席状況、入退出状況等の入退室情報に関する選択画面を表示部に表示する機能、属性情報ａが読み取られた日時である勤務時間（実施形態）・出席時間・受付時間等の時間情報、自端末の固有ＩＤ、ライセンス情報（従業員識別番号、学生番号、スタッフ番号）を外部に送信する機能等を有している。もちろん、送信の際には、前記属性情報と自端末側の識別情報ｂ（例えば従業員識別番号、打刻情報、自端末の固有ＩＤなど）は、適宜に関連付け（紐付）して送信される。送信手段の機能は、例えば特許文献２の情報携帯端末装置（１００）と同様であり、自明事項なので、詳細な説明は割愛する。
【００２０】
次に情報管理装置４の機能について説明する。図５は情報管理装置４の機能を示すブロック図である。図５に於いて、１１は通信部、１２は前記通信部等を制御する制御部、１３はＩＣタグの属性情報、自端末の固有ＩＤ、従業員の識別情報（実施形態）、日時に関するカレンダー情報、その他プログラム処理に必要な情報を設定・格納する属性情報記憶部、１４は前記属性情報記憶部に記憶されているＩＣタグの属性情報、自端末の固有ＩＤ、従業員の識別情報等を必要に応じて引き出す属性情報読出部、１５は属性情報読出部１４が引き出した当該属性情報と、通信部１１が受信した紐付情報ｃが一致しているか否かを照合する判定部（認証手段）、１６は所定時間内（例えば１５分以内）であるか否かを確認するためのタイマー回路、１７は制御部１２が前記判定部１５で判定処理した後、前記紐付情報ｃを記憶する管理情報記憶部である。
【００２１】
したがって、情報管理装置４の制御部１２は、通信部１１を介して受信した紐付情報（属性情報、固有ＩＤ、従業員の識別情報、打刻情報）ｃと関係付けられて予め設定・格納されている属性情報記憶部１３からＩＣタグの属性情報等の設定情報を属性情報読出部１４を介して読出し、判定部１５での判定ＯＫの判定処理に基づいて管理情報記憶部１７に前記紐付情報ｃを格納する。
【００２２】
なお、タイマー回路１６は本発明の本質的事項ではないが、例えば講演、授業等の出欠を重要視する場合に於いて、例えば１５分、３０分等遅刻したときに、紐付情報ｃの時間とタイマー回路１６によって計算された経過時間とを対比することによって、判定部１５は当該紐付情報ｃが「有効か否か」を判定するものである。また情報管理装置４は、管理情報記憶部１７に紐付情報ｃを格納した後、登録結果を、通信網２０（ランも含む）を介して中継制御装置３に送信しても良い。
【００２３】
次に図６は中継制御端末３の表示画面の一例を示す概略説明図、図７は中継制御端末３と情報管理装置４の間の簡単なシーケンス図である。本考案はＩＣタグシート２の構造、設置場所及び中継制御端末３の「宛がい」態様に特徴があるので、中継制御端末３と情報管理装置４の詳細機能は重要ではない。したがって、図６及び図７は本考案が使用される一例をそれぞれ簡単に示したものである。
【００２４】
図６に於いて、Ｓ１では中継制御端末３をＩＣタグシート２の表面に宛がい、ＩＣタの属性情報ａを読取る。Ｓ２ではユーザＩＤ（実施形態では従業員のＩＤ）とパスワード（ライセンスキー）を表示部のタッチパネルを用いて入力する。Ｓ３ではユーザＩＤとパスワードが正しければ、自端末の固有ＩＤ、従業員の識別情報等の自端末側の識別情報ｂを読取る。Ｓ４では中継制御端末３を所持する従業員が日勤、夜勤、退出のいずれか一つを選択する（勤務状況の選択）。Ｓ５では確認画面表示で確認する。そして、Ｓ６はＩＣタの属性情報ａと自端末の固有ＩＤｂ、及び従業員の識別情報（必要ならば打刻情報）を関連付けた紐付情報ｃを送信する。図７は中継制御端末３から情報管理装置４に紐付情報ｃが送信されること、情報管理装置４が紐付情報ｃを判定処理すること、情報管理装置４は判定結果（紐付情報ｃ）を管理情報記憶部１７に登録すること等を示したものである。
【実施例】
【００２５】
第１形態のＩＣタグシート２は、合計９個のＩＣタグ８が左右・上下に対称的に配設されているが、ＩＣタグ８の個数は、９個を基準として増減しても良い。また第１形態のＩＣタグシート２の大きさは、「はがき」乃至「Ｂ５用紙」サイズである。図８乃至図１１は要部（ＩＣタグシート２Ａ、２Ｂ）の他の実施形態を示す各説明図である。図８及び図９はＩＣタグシート２Ａの第２実施形態で、この第２実施形態ではＩＣタグシート２Ａの形状は同じであるものの、ＩＣタグ８の数が相違する。
【００２６】
またＩＣタグ８は、左右・上下のみならず、斜め方向にも対称的に配設されている。図１０及び図１１はＩＣタグシート２Ｂの第３実施形態で、この第３実施形態ではＩＣタグシート２Ｂが円形に形成され、少なくとも９個のＩＣタグは、ベース板としての下方シートの中心部８に配設されたＩＣタグと、該中心のＩＣタグの同心円上に配設された同心円上のＩＣタグ８とから構成されている。このように、ＩＣタグシート（２、２Ａ、２Ｂ）の形状・厚さ及びＩＣタグ８の数・配列は、本考案の目的を逸脱しない範囲で任意に設計変更をすることができる。
【産業上の利用可能性】
【００２７】
本考案は、会社、学校、病院等に於いて、従業員、学生、患者等の勤務、出席、受付等の状況を管理する業界で利用される。
【符号の説明】
【００２８】
Ｘ…人の情報管理装置、１…人が出入りする場所、２、２Ａ、２Ｂ…ＩＣタグシート、ａ…属性情報、３…中継制御端末（自端末）、ｂ…自端末側の識別情報、３ａ…中継送受信手段、３ｂ…自端末の記憶部、ｃ…紐付情報、４…情報管理装置、６…上方シート、７…下方シート、８…ＩＣタグ、９…収納凹所。
【図１】
0003186003.tif 000003
【図２】
0003186003.tif 000004
【図３】
0003186003.tif 000005
【図４】
0003186003.tif 000006
【図５】
0003186003.tif 000007
【図６】
0003186003.tif 000008
【図７】
0003186003.tif 000009
【図８】
0003186003.tif 000010
【図９】
0003186003.tif 000011
【図１０】
0003186003.tif 000012
【図１１】
0003186003.tif 000013